(57)【要約】【課題】水滴等による外的要因が介在することによって、拘束部材を介した外部短絡が発生することを防止できる。【解決手段】蓄電装置１は、蓄電セル１１、正極終端電極１８、及び負極終端電極１９からなる蓄電セル１１と、正極集電板１２と、負極集電板１３とを含むセルスタック２を、一方向における両側から荷重を付加した状態で拘束する一対の拘束部材５，６と、を備える。セルスタック２としての方向Ｘにおける両端として、電極体２１の一方の面にのみ活物質が塗工された終端電極が配置されている。蓄電装置１は、方向Ｘにおけるセルスタックの両端が、正極層２２となる活物質が塗工された正極終端電極１８，１８が配置されるか、又は負極層２３となる活物質が塗工された負極終端電極１９，１９となるように、蓄電セル１１が配列されている。【選択図】図５
2020017449.tif 000002
【特許請求の範囲】
【請求項１】
電極体の少なくとも一方の面に活物質が塗工された電極がセパレータを介して一方向に積層された電極群を含む積層体と、前記電極体の縁を保持すると共に前記積層体の側面を封止する保持部と、を有する蓄電セルと、
前記一方向において少なくとも前記蓄電セルの一方の端部に接触するように配置され、蓄電セルと電気的に接続される集電板と、
複数の前記蓄電セルと、複数の前記蓄電セルのそれぞれに接触して配置される前記集電板とが前記一方向に配列されてなる配列体を、前記一方向における両側から荷重を付加した状態で拘束すると共に、前記配列体を収容する筐体に固定する一対の拘束部材と、を備え、
前記積層体には、前記一方向における前記電極群の両端として配置されると共に、前記電極体の一方の面にのみ活物質が塗工された終端電極が含まれており、
前記一方向における前記配列体の両端が、正極層となる活物質が塗工された前記終端電極が配置されるか、又は負極層となる活物質が塗工された前記終端電極となるように、前記蓄電セルが配列されている、蓄電装置。
【請求項２】
前記一方向における前記配列体の両端が、前記負極層となる活物質が塗工された前記終端電極となるように、前記蓄電セルが配列されている、請求項１記載の蓄電装置。
【請求項３】
前記一方向において前記配列体の両端として配置される前記集電板のそれぞれは、前記一対の拘束部材のそれぞれに接触して配置されている、請求項２記載の蓄電装置。
【請求項４】
前記集電板は、前記蓄電セルにおいて正極層となる活物質が塗工された前記終端電極に接触して配置される正極集電板と、前記蓄電セルにおいて負極層となる活物質が塗工された前記終端電極に接触して配置される負極集電板と、を有し、
前記正極集電板及び前記負極集電板のそれぞれは、前記一方向において前記積層体に接触する本体部と、前記一方向に交差する方向において前記蓄電セルから突出する突出部と、を有し、
前記正極集電板の前記突出部と前記負極集電板の前記突出部とは、前記一方向に交差する方向において、前記蓄電セルから互いに反対方向に突出している、請求項１〜３の何れか一項記載の蓄電装置。
【請求項５】
前記筐体は、前記一方向に交差する方向の一方側に配置されており、
前記負極集電板は、前記蓄電セルから前記筐体が配置されている方向に突出している、請求項４記載の蓄電装置。
【請求項６】
前記一対の拘束部材のそれぞれは、金属材料から形成されている、請求項１〜５の何れか一項記載の蓄電装置。
【発明の詳細な説明】
【技術分野】
【０００１】
本発明は、蓄電装置に関する。
【背景技術】
【０００２】
蓄電装置の一種として、全固体電池が挙げられる。下記特許文献１には、複数の積層電池が正極集電箔及び負極集電箔を介して積み重ねられている態様が開示されている。これらの複数の積層電池、正極集電箔及び負極集電箔からなる積層体は、電気絶縁端板によって挟持された状態で、モールド樹脂によって封止されている。
【先行技術文献】
【特許文献】
【０００３】
【特許文献１】特開２０１４−１１６１５６号公報
【発明の概要】
【発明が解決しようとする課題】
【０００４】
上記従来の蓄電装置のような蓄電装置に対して、積層体を一方向における両側から荷重を付加した状態で拘束する拘束部材によって積層体の全てが一体化された蓄電装置が知られている。この蓄電装置では、拘束部材と積層体との間に絶縁部材を配置することによって拘束部材を介した外部短絡の防止が図られている。しかしながら、この構成であっても、例えば、水滴等、意図しない外的要因によって拘束部材を介した外部短絡が発生するおそれがある。
【０００５】
そこで、本発明の目的は、水滴等による外的要因が介在することによって、拘束部材を介した外部短絡が発生することを防止できる蓄電装置を提供することにある。
【課題を解決するための手段】
【０００６】
本発明の蓄電装置は、電極体の少なくとも一方の面に活物質が塗工された電極がセパレータを介して一方向に積層された電極群を含む積層体と、電極体の縁を保持すると共に積層体の側面を封止する保持部と、を有する蓄電セルと、一方向において少なくとも蓄電セルの一方の端部に接触するように配置され、蓄電セルと電気的に接続される集電板と、複数の蓄電セルと、複数の蓄電セルのそれぞれに接触して配置される集電板とが一方向に配列されてなる配列体を、一方向における両側から荷重を付加した状態で拘束すると共に、配列体を収容する筐体に固定する一対の拘束部材と、を備え、積層体には、一方向における電極群の両端として配置されると共に、電極体の一方の面にのみ活物質が塗工された終端電極が含まれており、一方向における配列体の両端が、正極層となる活物質が塗工された終端電極が配置されるか、又は負極層となる活物質が塗工された終端電極となるように、蓄電セルが配列されている。
【０００７】
この構成の蓄電装置では、一方向における配列体の両端に、正極となる終端電極が配置されるか、又は負極となる終端電極が配置されるように、蓄電セルが配列されている。すなわち、配列体の両端の極性が同じとなるように、蓄電セルが配置されている。これにより、例えば、水滴等が介在することによって、配列体の一方から拘束部材を介して短絡する状態になったとしても、他方の拘束部材に隣接する蓄電セルの極性は、一方の拘束部材に隣接する蓄電セルの極性と同一であるので、配列体の一方の端部、一方の拘束部材、拘束部材が固定された筐体、他方の拘束部材、配列体の他方の端部という経路で、外部短絡が発生することはない。この結果、水滴等による外的要因が介在することによって、拘束部材を介した外部短絡が発生することを防止できる。
【０００８】
本発明の蓄電装置では、一方向における配列体の両端が、負極層となる活物質が塗工された終端電極となるように、蓄電セルが配列されていてもよい。すなわち、本発明の蓄電装置は、配列体の両端の極性が負極である。この蓄電装置では、配列体の両端の極性を正極とする場合と比べて、電位を低くすることができる。これにより、より安全に外部短絡を防止することができる。
【０００９】
本発明の蓄電装置では、一方向において配列体の両端として配置される集電板のそれぞれは、一対の拘束部材のそれぞれに接触して配置されていてもよい。すなわち、一方向において配列体の両端として配置される集電板のそれぞれと拘束部材との間には、絶縁部材等が配置される等の絶縁処理がなされていない。これにより、一方向におけるサイズを小さくすることが可能になると共に部品点数を削減することができる。
【００１０】
本発明の蓄電装置では、集電板は、蓄電セルにおいて正極層となる活物質が塗工された終端電極に接触して配置される正極集電板と、蓄電セルにおいて負極層となる活物質が塗工された終端電極に接触して配置される負極集電板と、を有し、正極集電板及び負極集電板のそれぞれは、一方向において積層体に接触する本体部と、一方向に交差する方向において蓄電セルから突出する突出部と、を有し、正極集電板の突出部と負極集電板の突出部とは、一方向に交差する方向において、蓄電セルから互いに反対方向に突出していてもよい。この構成の蓄電装置では、正極集電板及び負極集電板のそれぞれは、一方向に交差する方向において蓄電セルから突出する突出部が形成されているので、蓄電セルから電流を取り出すことが容易となる。また、一方向に交差する方向において突出部が同方向に突出している場合と比べて、突出部のサイズを大きく確保できるので、蓄電セルから電流を取り出す場合の電気抵抗を小さくすることができる。
【００１１】
本発明の蓄電装置では、筐体は、一方向に交差する方向の一方側に配置されており、負極集電板は、蓄電セルから筐体が配置されている方向に突出していてもよい。この構成では、正極集電板を筐体側に突出させる構成と比べて、より安全に外部短絡を防止することができる。
【００１２】
本発明の蓄電装置では、一対の拘束部材のそれぞれは、金属材料から形成されていてもよい。この構成では、拘束部材を介した短絡がより発生し易い構成であっても、水滴等による外的要因が介在することによって、拘束部材を介した外部短絡が発生することを防止できる。
【発明の効果】
【００１３】
本発明によれば、水滴等による外的要因が介在することによって、拘束部材を介した外部短絡が発生することを防止できる。
【図面の簡単な説明】
【００１４】
【図１】図１は、第一実施形態に係る蓄電装置を示す概略斜視図である。
【図２】図２は、図１の蓄電装置に含まれる蓄電セルの概略断面図である。
【図３】図３は、図１の蓄電装置に含まれる蓄電セル及び集電板の概略斜視図である。
【図４】図４は、図１の蓄電装置に含まれる蓄電セル及び集電板の概略側面図である。
【図５】図５は、図１の蓄電装置を示す概略断面図である。
【図６】図６は、変形例に係る蓄電装置を示す概略断面図である。
【図７】図７は、第二実施形態に係る蓄電装置を示す概略斜視図である。
【図８】図８は、図７の蓄電装置に含まれる蓄電セル及び集電板の概略斜視図である。
【図９】図９は、図７の蓄電装置に含まれる蓄電セル及び集電板の概略側面図である。
【図１０】図１０は、図７の蓄電装置を示す概略断面図である。
【発明を実施するための形態】
【００１５】
以下、添付図面を参照しながら本発明の実施形態を詳細に説明する。図面の説明において、同一又は同等の要素には同一符号を用い、重複する説明を省略する。
【００１６】
［第一実施形態］
図１に示される蓄電装置１は、例えば、フォークリフト、ハイブリッド自動車、電気自動車等の各種車両のバッテリとして用いられる蓄電モジュールである。蓄電装置１は、セルスタック（配列体）２と、セルスタック２に電気的に接続される接続部材３，４と、セルスタック２を拘束する一対の拘束部材５，６と、セルスタック２と拘束部材５との間に配置される絶縁緩衝部材７と、セルスタック２と拘束部材６との間に配置される絶縁緩衝部材８と、セルスタック２の一部を覆うカバー部材９とを備える。以下では、拘束部材５，６がセルスタック２を拘束する方向を図１に示される方向Ｘ（一方向）とし、水平方向において方向Ｘと交差もしくは直交する方向を方向Ｙとし、方向Ｘ及び方向Ｙと交差もしくは直交する方向を方向Ｚ（一方向に交差する方向）とする。
【００１７】
セルスタック２は、方向Ｘに沿って配列される複数の蓄電セル１１を有する。すなわち、セルスタック２は、複数の蓄電セル１１の集合体である。セルスタック２は、例えば、８９個以上１１１個以下の蓄電セル１１を含む。蓄電セル１１の構成の詳細については、後述する。また、セルスタック２は、図１では示されていないが、複数の正極集電板（集電板）１２及び負極集電板（集電板）１３も有する。正極集電板１２及び負極集電板１３の詳細についても、後述する。
【００１８】
接続部材３は、蓄電装置１の正極として機能する導電部材（バスバー）であり、略平板形状を呈している。接続部材３は、方向Ｙにおけるセルスタック２の一端側に設けられている。接続部材３は、例えば、金属板又は合金板である。金属板は、例えば、銅板、アルミニウム板、チタン板、もしくはニッケル板である。合金板は、例えば、ステンレス鋼板（ＳＵＳ３０１、ＳＵＳ３０４等）、もしくは上記金属の合金板である。
【００１９】
接続部材３は、方向Ｘに沿って延在すると共に方向Ｚにおいてセルスタック２及び絶縁緩衝部材７に重なる主板部３ａと、主板部３ａにおける拘束部材５側の一端から方向Ｘに沿って突出する突出板部３ｂとを有する。接続部材３の主板部３ａは、セルスタック２内に含まれる複数の蓄電セル１１の各正極端子に電気的に接続されている。接続部材３の突出板部３ｂは、主板部３ａに連続して設けられている。方向Ｘに沿った突出板部３ｂの端は、拘束部材５よりも外側に位置する。接続部材３は、拘束部材５，６と離間している。
【００２０】
接続部材４は、蓄電装置１の負極として機能する導電部材（バスバー）であり、略平板形状を呈している。接続部材４は、方向Ｙにおけるセルスタック２の他端側、かつ方向Ｚにおけるセルスタック２の一端側に設けられている。すなわち、接続部材４は、方向Ｚにおいて、接続部材３とセルスタック２を挟んだ反対側に配置されている。接続部材４は、接続部材３と同様に、例えば、金属板又は合金板である。接続部材４は、接続部材３と同一の金属板又は合金板であってもよいし、異なる金属板又は合金板であってもよい。
【００２１】
接続部材４は、方向Ｘに沿って延在すると共に方向Ｚにおいてセルスタック２及び絶縁緩衝部材８に重なる主板部４ａと、主板部４ａにおける拘束部材６側の一端から方向Ｘに沿って突出する突出板部４ｂとを有する。突出板部４ｂは、方向Ｘにおいて接続部材３の突出板部３ｂと反対側に設けられている。接続部材４の主板部４ａは、セルスタック２内に含まれる複数の蓄電セル１１の各負極端子に電気的に接続されている。接続部材４の突出板部４ｂは、主板部４ａに連続して設けられている。方向Ｘに沿った突出板部４ｂの端は、拘束部材６よりも外側に位置する。接続部材４は、接続部材３と同様に拘束部材５，６と離間している。
【００２２】
拘束部材５，６のそれぞれは、セルスタック２に対して方向Ｘに沿った拘束力（荷重）を付加する部材であり、略Ｌ字板形状を呈するエンドプレートである。拘束部材５，６のそれぞれは、導電性の金属材料（例えば、銅、アルミニウム、チタン、ニッケル、又はステンレス鋼等の合金）から形成されている。拘束部材５は、方向Ｘにおけるセルスタック２の一端側に配置されており、セルスタック２に対して荷重を付加する主部５ａと、方向Ｚにおける主部５ａの一端から方向Ｘに沿って延在する延在部５ｂとを有する。延在部５ｂは、セルスタック２から離れるように延在している。
【００２３】
拘束部材６は、方向Ｘにおけるセルスタック２の他端側に配置されており、セルスタック２に対して荷重を付加する主部６ａと、方向Ｚにおける主部６ａの一端から方向Ｘに沿って延在する延在部６ｂとを有する。延在部６ｂは、拘束部材５の延在部５ｂと同様に、セルスタック２から離れるように延在している。
【００２４】
拘束部材５，６のそれぞれは、例えば、金属製又は合金製の板材である。拘束部材５，６は、例えば、締結部材（例えば、ボルト及びナット）等を用いた連結部材を介して互いに連結されてもよい。この場合、拘束部材５，６のそれぞれには、方向Ｘに沿って延在するボルト等の連結部材が挿通される貫通孔等が設けられてもよい。拘束部材５，６のそれぞれは、蓄電装置１を収容するケース（筐体）１０（図５参照）又は図示しない機台等に固定されている。この場合、拘束部材５，６のそれぞれには、ケース１０等に締結部材を介して固定されてもよいし、溶接によって固定されてもよい。
【００２５】
拘束部材５，６のうち、一方の拘束部材５には、接続部材４を方向Ｘに沿って貫通させるための開口部５ｃが設けられている。これにより、接続部材４は、拘束部材５には直接接触しない状態で、方向Ｘに沿って拘束部材５から突出するようになっている。
【００２６】
図１及び図５に示される絶縁緩衝部材７，８のそれぞれは、蓄電セル１１の膨張を吸収するための絶縁部材であり、略直方体形状を呈している。絶縁緩衝部材７は、方向Ｘにおいてセルスタック２と拘束部材５との間に配置されている。絶縁緩衝部材７は、後段にて詳述する積層体１４の正極端子に接触する負極集電板１３に接触する。絶縁緩衝部材８は、方向Ｘにおいてセルスタック２と拘束部材６との間に配置されている。絶縁緩衝部材８は、後段にて詳述する積層体１４の負極端子に接触する負極集電板１３に接触する。すなわち、第一実施形態では、方向Ｘにおけるセルスタック２の両端に、負極層２３となる活物質が塗工された負極終端電極１９，１９が配置されるように、蓄電セル１１が配列されている。絶縁緩衝部材７，８のそれぞれにおいて接続部材３，４に対向する端面は、セルスタック２において接続部材３，４に対向する端面に対して揃ってもよい。すなわち、上記端面同士は、面一になっていてもよい。
【００２７】
絶縁緩衝部材７，８のそれぞれを形成する材料の例には、例えば、ポリプロピレン（ＰＰ）、ポリフェニレンサルファイド（ＰＰＳ）、ナイロン６６（ＰＡ６６）が含まれる。絶縁緩衝部材７，８の少なくとも一つは、弾性を示してもよい。絶縁緩衝部材７，８の方向Ｘに沿った長さは、例えば、１ｍｍ以上１０ｍｍ以下である。
【００２８】
カバー部材９は、蓄電セル１１の方向Ｚにおける移動を規制するための部材であり、略逆Ｕ字板形状を呈している。カバー部材９は、方向Ｙにおいて接続部材３，４の間に設けられており、且つ、接続部材３，４と離間している。カバー部材９は、方向Ｘに沿って延在するカバー部９ａと、方向Ｘにおけるカバー部９ａの一端から方向Ｚに沿って延在する第１取付部９ｂと、方向Ｘにおけるカバー部９ａの他端から方向Ｚに沿って延在する第２取付部９ｃとを有する。第１取付部９ｂは、締結部材Ｅ等を介して拘束部材５に固定されている。第２取付部９ｃは、第１取付部９ｂと同様に、締結部材等を介して拘束部材６に固定されている。このため、カバー部材９は、拘束部材５，６を連結するための連結部材として機能する。カバー部材９は、例えば、金属板又は合金板である。
【００２９】
次に、図２〜図４を参照しながら、セルスタック２に含まれる蓄電セル１１と正極集電板１２と負極集電板１３との詳細について説明する。まず、蓄電セル１１の構成の詳細について説明する。
【００３０】
図２に示されるように、蓄電セル１１は、略直方体形状を呈する単電池である。蓄電セル１１においては、方向Ｘに沿った辺が最も短く、方向Ｙに沿った辺が最も長くなっている。蓄電セル１１は、例えば、ニッケル水素二次電池、リチウムイオン二次電池等の二次電池である。蓄電セル１１は、電気二重層キャパシタでもよい。蓄電セル１１は、全固体電池でもよい。
【００３１】
第一実施形態の蓄電セル１１は、バイポーラ型のリチウムイオン二次電池である。蓄電セル１１は、方向Ｘにおいて正極集電板１２と負極集電板１３とによって挟まれており、正極集電板１２を介して接続部材３に電気的に接続されると共に、負極集電板１３を介して接続部材４に電気的に接続される。
【００３２】
蓄電セル１１は、積層体１４と、保持部１５と、を備える。積層体１４は、複数のバイポーラ電極（電極）１６と複数のセパレータ１７とを含む電極群１１４と、正極終端電極（終端電極）１８と、負極終端電極（終端電極）１９と、を有する。複数のバイポーラ電極１６と、複数のセパレータ１７とは、方向Ｘに沿って交互に配置されている。
【００３３】
複数のバイポーラ電極１６のそれぞれは、電極体２１と、正極層２２と、負極層２３とを備える。電極体２１は、方向Ｘに交差する一対の主面２１ａ，２１ｂを有する。電極体２１の主面（一方の面）２１ａ上には正極層２２が設けられ、電極体２１の主面（他方の面）２１ｂ上には負極層２３が設けられる。このため、電極体２１は、方向Ｘに沿って正極層２２と負極層２３とによって挟まれている。
【００３４】
電極体２１は、シート状の導電部材であり、略矩形状を呈している。電極体２１は、例えば、金属箔又は合金箔である。金属箔は、例えば、銅箔、アルミニウム箔、チタン箔、もしくはニッケル箔である。電極体２１が金属箔である場合、機械的強度を確保する観点から、当該金属箔はアルミニウム箔であってもよい。合金箔は、例えば、ステンレス鋼箔（ＳＵＳ３０１、ＳＵＳ３０４等）、もしくは上記金属の合金箔である。電極体２１が合金箔である場合、もしくは電極体２１がアルミニウム箔以外の金属箔である場合、電極体２１の表面にはアルミニウムが被覆されていてもよい。電極体２１の厚みは、例えば、５μｍ以上２０μｍ以下である。
【００３５】
正極層２２は、正極活物質と電解質とを含む層状部材であり、略矩形状を呈している。第一実施形態の正極活物質は、例えば、複合酸化物、金属リチウム、及び硫黄等である。複合酸化物の組成には、例えば、マンガン、チタン、ニッケル、コバルト、及びアルミニウムの少なくとも１つと、リチウムとが含まれる。電解質は、例えば、固体電解質、固体高分子電解質、もしくはゲル状電解質である。固体電解質は、ジルコニア、もしくはβアルミナを含む。固体高分子電解質は、例えば、ポリエチレンオキシド（ＰＥＯ）、ポリプロピレンオキシド（ＰＰＯ）等のアルキレンオキシド系高分子化合物、もしくはこれらの共重合体を含む。加えて、正極層２２が固体高分子電解質を含む場合、正極層２２は、例えば、イオン伝導性を高めるための支持塩、電子伝導性を高めるための導電助剤、粘度調整溶媒、重合開始剤の少なくともいずれかを含む。
【００３６】
支持塩は、アルキレンオキシド系高分子化合物に容易に溶解可能な観点から、例えばリチウム塩である。リチウム塩は、例えば、ＬｉＢＦ４、ＬｉＰＦ６、ＬｉＮ（ＳＯ２ＣＦ３）２、ＬｉＮ（ＳＯ２Ｃ２Ｆ５）２、もしくはこれらの混合物である。導電助剤は、例えば、アセチレンブラック、カーボンブラック、グラファイト等である。粘度調整溶媒は、例えば、Ｎ−メチル−２−ピロリドン（ＮＭＰ）等である。重合開始剤は、例えば、アゾビスイソブチロニトリル（ＡＩＢＮ）等である。ゲル状電解質は、流動性を完全にもしくはほぼ完全に示さない。例えば、２０℃におけるゲル状電解質の粘度は、０．１Ｐａ・Ｓ以上である。
【００３７】
負極層２３は、負極活物質と電解質とを含む層状部材であり、略矩形状を呈している。第一実施形態の負極活物質は、例えば、黒鉛、高配向性グラファイト、メソカーボンマイクロビーズ、ハードカーボン、ソフトカーボン等のカーボン、リチウム、ナトリウム等のアルカリ金属、金属化合物、リチウムと合金化可能な元素もしくはその化合物、ホウ素添加炭素などである。リチウムと合金化可能な元素の例としては、シリコン（ケイ素）及びスズが挙げられる。負極層２３の電解質としては、正極層２２に含まれる電解質と同様のものが用いられる。
【００３８】
正極終端電極１８は、積層体１４の方向Ｘにおける一方の端部に設けられている。正極終端電極１８は、電極体２１の一方の主面２１ａにのみ上記の正極層（活物質）２２が塗工されて形成された電極である。すなわち、方向Ｘにおいて積層体１４の一端（図５における紙面右側）に配置される電極体２１の主面２１ｂ上には、負極層２３が配置されていない。このため、当該電極体２１は、積層体１４における正極端子に相当し、主面２１ｂは、積層体１４の主面１４ａに相当する。
【００３９】
負極終端電極１９は、積層体１４の方向Ｘにおける他方の端部に設けられている。負極終端電極１９も、正極終端電極１８と同様に、電極体２１の一方の主面２１ｂにのみ負極層（活物質）２３が塗工されて形成された電極である。すなわち、方向Ｘにおいて積層体１４の他端（図５における紙面左側）に配置される電極体２１の主面２１ａ上には、正極層２２が配置されていない。このため、当該電極体２１は、積層体１４における負極端子に相当し、主面２１ａは、積層体１４の主面１４ｂに相当する。
【００４０】
セパレータ１７は、隣り合うバイポーラ電極１６，１６の間、バイポーラ電極１６と正極終端電極１８との間、及びバイポーラ電極１６と負極終端電極１９との間のそれぞれを隔てる層状部材であり、略矩形状を呈している。セパレータ１７は、隣り合うバイポーラ電極１６，１６の間、バイポーラ電極１６と正極終端電極１８との間、及びバイポーラ電極１６と負極終端電極１９との間の短絡を防止する部材である。セパレータ１７は、正極層２２及び負極層２３に含まれる電解質によって構成されている。セパレータ１７が固体電解質によって構成される場合、セパレータ１７は、略矩形板形状を呈してもよい。セパレータ１７の厚みは、例えば、１μｍ以上１０μｍ以下である。
【００４１】
保持部１５は、積層体１４に含まれる複数のバイポーラ電極１６、複数のセパレータ１７、正極終端電極１８、及び負極終端電極１９を保持する部材であり、絶縁性を有している。積層体１４は、方向Ｘに交差する一対の主面１４ａ，１４ｂ及び主面１４ａ，１４ｂをつなぐ外周面１４ｃを有する。保持部１５は、積層体１４の外周面１４ｃ上に設けられる。保持部１５は、積層体１４の外周面１４ｃを封止するように略矩形枠形状を呈する封止部材、及び、積層体１４内のバイポーラ電極１６同士の短絡を防止する短絡防止部材としても機能し得る。
【００４２】
保持部１５は、積層体１４の外周面１４ｃと接触する内周面１５ａと、内周面１５ａの反対側に位置する外周面１５ｂと、方向Ｘに交差する側面１５ｃとを有する。側面１５ｃは、積層体１４の主面１４ａ，１４ｂに対して略平行に設けられる。第一実施形態では、方向Ｘにおける一端（図２における紙面右側）に位置する側面１５ｃは、主面１４ａと面一になっており、方向Ｘにおける他端（図２における紙面右側）に位置する側面１５ｃは、主面１４ｂと面一になっている。
【００４３】
保持部１５を形成する材料の例には、耐熱性を示す樹脂部材等が含まれる。耐熱性を示す樹脂部材の例には、ポリイミド、ＰＰ、ＰＰＳ、及びＰＡ６６等が含まれる。保持部１５の厚みは、例えば、１ｍｍ以上１０ｍｍ以下である。保持部１５の厚みは、方向Ｙもしくは方向Ｚに沿った内周面１５ａと外周面１５ｂとの距離に相当する。
【００４４】
次に、正極集電板１２及び負極集電板１３の構成について説明する。なお、図３及び図４に示される正極集電板１２及び負極集電板１３は、セルスタック２に配置する前の状態である。正極集電板１２及び負極集電板１３のそれぞれに対しては、セルスタック２に配置される前に、屈曲加工等が施される。屈曲加工等が実施された正極集電板１２及び負極集電板１３についての詳細は、後述する。
【００４５】
図２〜図４に示されるように、正極集電板１２は、積層体１４に接触する導電部材であり、板形状を呈している。正極集電板１２は、方向Ｘに沿って蓄電セル１１に隣接している。すなわち、正極集電板１２は、正極終端電極１８の電極体２１に接触するように配置される。正極集電板１２は、正極端子として機能する電極体２１に接触する本体部１２ａと、方向Ｚに沿って本体部１２ａの縁１２ｂの一部から突出する突出部１２ｃとを有する。本体部１２ａは、方向Ｘにおいてバイポーラ電極１６及びセパレータ１７に重なる部分であり、略矩形状を呈している。正極集電板１２の厚みは、例えば、５０μｍである。
【００４６】
負極集電板１３は、積層体１４に接触する導電部材であり、板形状を呈している。負極集電板１３は、正極集電板１２と同様に方向Ｘに沿って蓄電セル１１に隣接している。すなわち、負極集電板１３は、負極終端電極１９の電極体２１に接触するように配置される。負極集電板１３は、負極端子として機能する電極体２１に接触する本体部１３ａと、方向Ｚに沿って本体部１３ａの縁１３ｂの一部から突出する突出部１３ｃとを有する。本体部１３ａは、方向Ｘにおいてバイポーラ電極１６及びセパレータ１７に重なる部分であり、略矩形状を呈している。負極集電板１３の厚みは、例えば、５０μｍである。
【００４７】
上述したように第一実施形態では、正極集電板１２は、各蓄電セル１１の正極端子にそれぞれ接触する。負極集電板１３は、各蓄電セル１１の負極端子にそれぞれ接触する。このため第一実施形態では、セルスタック２内の複数の蓄電セル１１は、正極集電板１２及び負極集電板１３を介して並列接続されている。図５に示されるように、セルスタック２内では、複数の蓄電セル１１と複数の集電板とが方向Ｘに沿って交互に配列されている。より具体的には、蓄電セル１１、正極集電板１２、蓄電セル１１、負極集電板１３の順に配置されたグループが方向Ｘに沿って連続して並ぶことによって、セルスタック２が構成されている。なお、図５に示される「正」及び「負」の文字は、積層体１４の端部に配置される終端電極が正極であるか負極であるかを示している。
【００４８】
方向Ｘ又は方向Ｙから見たとき、正極集電板１２の突出部１２ｃ及び負極集電板１３の突出部１３ｃは、方向Ｚにおいて反対方向に突出している。また、正極集電板１２の突出部１２ｃ及び負極集電板１３の突出部１３ｃは、正極集電板１２及び負極集電板１３のＹ方向における一部が方向Ｚに沿って突出するのではなく、Ｙ方向における全部が突出している。なお、突出部１２ｃ，１３ｃの突出量は、少なくとも保持部１５の厚みよりも大きくなっている。
【００４９】
図５に示されるように、方向Ｘにおいて最も外側に位置する蓄電セル１１に接触する負極集電板１３は、当該蓄電セル１１と絶縁緩衝部材７との間、及び当該蓄電セル１１と絶縁緩衝部材８との間に配置されており、且つ、当該負極集電板１３の本体部１３ａは、絶縁緩衝部材７の主面７ａ、又は絶縁緩衝部材８の主面８ａと接触している。以下では、方向Ｘにおいて最も外側に位置する一対の負極集電板１３を最外負極集電板１１３と呼称する。なお、絶縁緩衝部材７は、方向Ｘに交差すると共に本体部１３ａに接触する主面７ａと、主面７ａの縁から方向Ｘに沿って延在する外周面７ｂとを有し、絶縁緩衝部材８は、方向Ｘに交差すると共に本体部１３ａに接触する主面８ａと、主面８ａの縁から方向Ｘに沿って延在する外周面８ｂと、を有する。
【００５０】
セルスタック２内の各負極集電板１３の突出部１３ｃには、屈曲加工が施されている。最外負極集電板１１３を含む負極集電板１３の突出部１３ｃは、保持部１５の外周面１５ｂに沿うように折り曲げられている。最外負極集電板１１３を含む負極集電板１３の突出部１３ｃは、保持部１５の外周面１５ｂと、接続部材４との両方に密着している。溶接部Ｗ１は、負極集電板１３と接続部材４とを接合する部分であり、突出部１３ｃと接続部材４とが接触している箇所に設けられる。溶接部Ｗ１は、例えば、レーザ溶接等によって形成される。
【００５１】
セルスタック２内の各正極集電板１２の突出部１２ｃには、屈曲加工が施されている。正極集電板１２の突出部１２ｃは、保持部１５の外周面１５ｂに沿うように折り曲げられている。正極集電板１２の突出部１３ｃは、保持部１５の外周面１５ｂに沿うように折り曲げられている。正極集電板１２の突出部１２ｃの全体は、保持部１５の外周面１５ｂと、接続部材３との両方に密着している。溶接部Ｗ３は、正極集電板１２と接続部材３とを接合する部分であり、突出部１２ｃと接続部材３とが接触している箇所に設けられる。溶接部Ｗ３は、例えば、レーザ溶接等によって形成される。
【００５２】
接続部材３は、方向Ｘにおいて拘束部材６の外側にまで延びている。絶縁部材４１は、方向Ｚにおいて、接続部材３と拘束部材６との間に配置されている。同様に、接続部材４は、方向Ｘにおいて拘束部材５の外側にまで延びている。上述したとおり、接続部材４は、拘束部材５の開口部５ｃを介して、方向Ｘにおいて拘束部材５の外側にまで延びている。方向Ｙ及び方向Ｚにおいて、拘束部材５の開口部５ｃの縁部と接続部材４との間には絶縁部材４１が配置されている。絶縁部材４１を形成する材料の例には、例えば、ポリプロピレン（ＰＰ）、ポリフェニレンサルファイド（ＰＰＳ）、ナイロン６６（ＰＡ６６）が含まれる。
【００５３】
上記第一実施形態の蓄電装置１における作用効果について説明する。図５に示されるように、上記第一実施形態の蓄電装置１では、方向Ｘにおけるセルスタック２の両端が負極終端電極１９，１９となるように、蓄電セル１１が配列されている。すなわち、セルスタック２の両端の極性が同じとなるように、蓄電セル１１が配置されている。これにより、例えば、水滴等が介在することによって、セルスタック２の一方から一方の拘束部材５を介して短絡する状態になったとしても、他方の拘束部材６に隣接する蓄電セル１１の極性は、一方の拘束部材５に隣接する蓄電セル１１の極性と同一であるので、セルスタック２の一方の端部、一方の拘束部材５、拘束部材５，６が固定されたケース１０、他方の拘束部材６、セルスタック２の他方の端部という経路で、外部短絡が発生することはない。この結果、水滴等による外的要因が介在することによって、拘束部材５，６を介した外部短絡が発生することを防止できる。
【００５４】
上記第一実施形態では、方向Ｘにおけるセルスタック２の両端が負極終端電極１９となるように蓄電セル１１が配列されている。すなわち、上記第一実施形態では、セルスタック２の両端の極性が負極である。これにより、セルスタック２の両端の極性を正極とする場合と比べて、電位を低くすることができる。これにより、より安全に外部短絡を防止することができる。
【００５５】
上記第一実施形態では、正極集電板１２の突出部１２ｃと負極集電板１３の突出部１３ｃとは、方向Ｚにおいて、蓄電セル１１から互いに反対方向に突出している。これにより、正極集電板１２及び負極集電板１３のそれぞれは、方向Ｚに交差する方向において蓄電セル１１から突出する突出部１２ｃ，１３ｃが形成されているので、蓄電セル１１から電流を取り出すことが容易となる。また、上記第一実施形態では、方向Ｚにおいて突出部１２ｃ，１３ｃが同方向に突出している場合と比べて、突出部１２ｃ，１３ｃの方向Ｙにおけるサイズを大きく確保できるので、蓄電セル１１から電流を取り出す場合の電気抵抗を小さくすることができる。
【００５６】
上記第一実施形態では、負極集電板１３は、方向Ｚにおいて蓄電セル１１からケース１０が配置されている側に突出し、負極集電板１３に接続される接続部材４は、方向Ｚにおいてケース１０とセルスタック２との間に配置されている。この構成では、正極集電板１２をケース１０側に突出させる構成と比べて、より安全に外部短絡を防止することができる。
【００５７】
上記第一実施形態では、一対の拘束部材５，６のそれぞれは、金属材料から形成されている。これにより、拘束部材５，６を介した短絡がより発生し易い構成であっても、水滴等による外的要因が介在することによって、拘束部材５，６を介した外部短絡が発生することを防止できる。
【００５８】
上記第一実施形態では、方向Ｘにおけるセルスタック２の両端が負極終端電極１９，１９となるように、蓄電セル１１が配列されている構成に代えて、方向Ｘにおけるセルスタック２の両端が正極終端電極１８，１８となるように、蓄電セル１１が配列されてもよい。
【００５９】
上記第一実施形態では、図５に示されるように、方向Ｘにおけるセルスタック２の両端に絶縁緩衝部材７，８が配置されている例を挙げて説明したが、図６に示されるように、これらの絶縁緩衝部材７，８は配置されていなくてもよい。すなわち、方向Ｘにおいてセルスタック２の両端として配置される正極集電板１２及び負極集電板１３のそれぞれは、一対の拘束部材５，６のそれぞれに接触して配置されていてもよい。これにより、方向Ｘにおけるサイズを小さくすることが可能になると共に部品点数を削減することができる。
【００６０】
上記変形例では、方向Ｘにおけるセルスタック２の両端に配置される絶縁緩衝部材７，８を省略する例を挙げて説明したが、一方の絶縁緩衝部材７，８のみを省略してもよい。
【００６１】
［第二実施形態］
次に、第二実施形態の蓄電装置１Ａについて説明する。ここでは、第一実施形態の蓄電装置１と異なる部分について主に説明する。第二実施形態の蓄電装置１Ａが第一実施形態の蓄電装置１と大きく異なるのは、第一実施形態の蓄電装置１では、正極集電板１２に接続される接続部材３が方向Ｘにおける上方に配置されていた（図１参照）のに対し、第二実施形態の蓄電装置１Ａでは、接続部材３が方向Ｘにおける下方に配置されている（図７及び図１０参照）点である。以下、図７〜図１０を用いて相違点について順番に説明する。
【００６２】
まず、図８及び図９に示されるように、第二実施形態では、方向Ｚにおいて、正極集電板１２の突出部１２ｃが突出する方向と、負極集電板１３の突出部１３ｃが突出する方向と、第一実施形態とは逆となるように、正極集電板１２及び負極集電板１３が配置されている。
【００６３】
また、図１０に示されるように、一方の拘束部材５の開口部５ｃには、接続部材４が挿通されている。すなわち、接続部材４は、方向Ｘにおいて拘束部材５の開口部５ｃを介して外側にまで延びている。拘束部材５と接続部材４との間には、第一実施形態と同様に、絶縁部材４１が配置されている。
【００６４】
上記第二実施形態の蓄電装置１Ａにおいても、第一実施形態と同様に、セルスタック２の両端の極性が同じとなるように、蓄電セル１１が配置されているので、水滴等による外的要因が介在することによって、拘束部材５，６を介した外部短絡が発生することを防止できる。
【００６５】
また、上記第二実施形態においても絶縁緩衝部材７，８は配置されていなくてもよい。すなわち、方向Ｘにおいてセルスタック２の両端として配置される正極集電板１２及び負極集電板１３のそれぞれは、一対の拘束部材５，６のそれぞれに接触して配置されていてもよい。これにより、方向Ｘにおけるサイズを小さくすることが可能になると共に部品点数を削減することができる。また、上記第二実施形態においても一方の絶縁緩衝部材７，８のみを省略してもよい。
【００６６】
以上、第一実施形態及び第二実施形態について説明したが、本発明は、上記実施形態に限られない。発明の趣旨を逸脱しない範囲で種々の変更が可能である。
【００６７】
例えば、上記実施形態では、第一実施形態及び第二実施形態では、接続部材３及び接続部材４は、方向Ｚにおけるセルスタック２の一方側と他方側に設けられている例を挙げて説明したが、セルスタック２の一方側又は他方側の同一方向に配置されてもよい。また、接続部材３及び接続部材４は、セルスタック２のケース１０側に配置されてもよいし、ケース１０とは反対側に配置されてもよい。
【００６８】
上記第二実施形態及び変形例では、拘束部材５に開口部５ｃを設けることによって、方向Ｘにおいて接続部材３を拘束部材５の外側にまで延在させる例を挙げて説明したが、開口部５ｃを設けなくても、例えば、ケース１０に接続部材３を配置する空間を設けたり、拘束部材５と重ならないように接続部材３を方向Ｙにずらしたりすることによって、拘束部材５の外側にまで接続部材３を延在させてもよい。
【符号の説明】
【００６９】
１，１Ａ…蓄電装置、２…セルスタック、３，４…接続部材、５，６…拘束部材、５ｃ…開口部、７，８…絶縁緩衝部材、１０…ケース（筐体）、１１…蓄電セル、１２…正極集電板（集電板）、１２ｃ…突出部、１３…負極集電板（集電板）、１３ｃ…突出部、１４…積層体、１５…保持部、１６…バイポーラ電極、１７…セパレータ、１８…正極終端電極（終端電極）、１９…負極終端電極（終端電極）、２１…電極体、２２…正極層、２３…負極層、１１３…最外負極集電板、１１４…電極群。
【図１】
2020017449.tif 000003
【図２】
2020017449.tif 000004
【図３】
2020017449.tif 000005
【図４】
2020017449.tif 000006
【図５】
2020017449.tif 000007
【図６】
2020017449.tif 000008
【図７】
2020017449.tif 000009
【図８】
2020017449.tif 000010
【図９】
2020017449.tif 000011
【図１０】
2020017449.tif 000012